(57)【要約】【課題】コモンモードノイズに対する減衰量の増加と減衰帯域の広帯域化を図ることができるコモンモードノイズフィルタを得ることを目的とする。【解決手段】ディファレンシャルモード信号に対しては低インピーダンスで、コモンモードノイズに対しては高インピーダンスであるコモンモードチョークコイル２ａ，２ｂを信号線１ａ，１ｂに対して直列に接続するとともに、そのディファレンシャルモード信号に対しては高インピーダンスで、そのコモンモードノイズに対しては低インピーダンスであるディファレンシャルモードチョークコイル７ａ，７ｂを信号線１ａ，１ｂに対して並列に接続する。【選択図】図１
2011244418.tif 000002
【特許請求の範囲】
【請求項１】
同一振幅で逆位相のディファレンシャルモード信号を伝搬する少なくとも一対以上の信号線から構成されている差動信号線路と、上記差動信号線路を構成している各信号線に対して直列に接続されており、上記差動信号線路を伝搬するディファレンシャルモード信号に対しては低インピーダンスで、上記差動信号線路を伝搬するコモンモードノイズに対しては高インピーダンスであるコモンモードチョークコイルと、上記差動信号線路を構成している各信号線に対して並列に接続されており、上記差動信号線路を伝搬するディファレンシャルモード信号に対しては高インピーダンスで、上記差動信号線路を伝搬するコモンモードノイズに対しては低インピーダンスであるディファレンシャルモードチョークコイルとを備えたコモンモードノイズフィルタ。
【請求項２】
同一振幅で逆位相のディファレンシャルモード信号を伝搬する少なくとも一対以上の信号線から構成されている差動信号線路と、上記差動信号線路を構成している各信号線に対して並列に接続されており、上記差動信号線路を伝搬するディファレンシャルモード信号に対しては高インピーダンスで、上記差動信号線路を伝搬するコモンモードノイズに対しては低インピーダンスであるディファレンシャルモードチョークコイルとを備えたコモンモードノイズフィルタ。
【請求項３】
差動信号線路を構成している各信号線に対して、複数のコモンモードチョークコイルが直列に接続され、上記差動信号線路を構成している各信号線に対して、複数のディファレンシャルモードチョークコイルが並列に接続されていることを特徴とする請求項１または請求項２記載のコモンモードノイズフィルタ。
【請求項４】
ディファレンシャルモードチョークコイルと直列にコンデンサが接続されており、上記ディファレンシャルモードチョークコイルと上記コンデンサからなる直列回路の一端が差動信号線路を構成している各信号線に接続され、各直列回路の他端同士が短絡されていることを特徴とする請求項１から請求項３のうちのいずれか１項記載のコモンモードノイズフィルタ。
【請求項５】
差動信号線路を構成している各信号線の端部のそれぞれが入出力端子に接続され、各直列回路の他端が外部接続端子に接続されていることを特徴とする請求項４記載のコモンモードノイズフィルタ。
【請求項６】
請求項４記載のコモンモードノイズフィルタを内装する導電性ケースを備え、請求項５記載の入出力端子及び外部接続端子が、上記導電性ケースの外部の回路又は導体と接続自在に上記導電性ケースに取り付けられていることを特徴とするコモンモードノイズフィルタ。
【請求項７】
同一振幅で逆位相のディファレンシャルモード信号を伝搬する少なくとも一対以上の信号線から構成されている差動信号線路と、上記差動信号線路を構成している各信号線に対して直列に接続されており、上記差動信号線路を伝搬するディファレンシャルモード信号に対しては低インピーダンスで、上記差動信号線路を伝搬するコモンモードノイズに対しては高インピーダンスであるコモンモードチョークコイルと、上記差動信号線路を構成している各信号線の端部のそれぞれが接続される入出力端子とを備え、
上記差動信号線路を伝搬するディファレンシャルモード信号に対しては高インピーダンスで、上記差動信号線路を伝搬するコモンモードノイズに対しては低インピーダンスであるディファレンシャルモードチョークコイルと、上記ディファレンシャルモードチョークコイルと直列に接続されているコンデンサとからなる直列回路が、上記差動信号線路を構成している各信号線に対して並列に接続されて、各直列回路の他端が外部接続端子に接続されて互いに短絡されており、
上記差動信号線路、上記コモンモードチョークコイル及び上記直列回路を内装するケーブルコネクタケースを備え、上記入出力端子及び上記外部接続端子が、上記ケーブルコネクタケースの外部の回路又は導体と接続自在に上記ケーブルコネクタケースに取り付けられている信号伝送ケーブル。
【請求項８】
同一振幅で逆位相のディファレンシャルモード信号を伝搬する少なくとも一対以上の信号線から構成されている差動信号線路と、上記差動信号線路を構成している各信号線の端部のそれぞれが接続される入出力端子とを備え、
上記差動信号線路を伝搬するディファレンシャルモード信号に対しては高インピーダンスで、上記差動信号線路を伝搬するコモンモードノイズに対しては低インピーダンスであるディファレンシャルモードチョークコイルと、上記ディファレンシャルモードチョークコイルと直列に接続されているコンデンサとからなる直列回路が、上記差動信号線路を構成している各信号線に対して並列に接続されて、各直列回路の他端が外部接続端子に接続されて互いに短絡されており、
上記差動信号線路及び上記直列回路を内装するケーブルコネクタケースを備え、上記入出力端子及び上記外部接続端子が、上記ケーブルコネクタケースの外部の回路又は導体と接続自在に上記ケーブルコネクタケースに取り付けられている信号伝送ケーブル。
【請求項９】
ケーブルコネクタケースが導電性ケースで構成されており、入出力端子に接続される差動信号ケーブルが導電性のシールド外皮で覆われていることを特徴とする請求項７または請求項８記載の信号伝送ケーブル。
【請求項１０】
外部接続端子が複数の端子又はリード線で構成されていることを特徴とする請求項７から請求項９のうちのいずれか１項記載の信号伝送ケーブル。
【請求項１１】
同一振幅で逆位相のディファレンシャルモード信号を伝搬する少なくとも一対以上の信号線から構成されている差動信号線路と、上記差動信号線路を構成している各信号線に対して直列に接続されており、上記差動信号線路を伝搬するディファレンシャルモード信号に対しては低インピーダンスで、上記差動信号線路を伝搬するコモンモードノイズに対しては高インピーダンスであるコモンモードチョークコイルと、上記差動信号線路を構成している各信号線の端部のそれぞれが接続される入出力端子を収容している線路接続部材とを備え、
上記差動信号線路を伝搬するディファレンシャルモード信号に対しては高インピーダンスで、上記差動信号線路を伝搬するコモンモードノイズに対しては低インピーダンスであるディファレンシャルモードチョークコイルと、上記ディファレンシャルモードチョークコイルと直列に接続されているコンデンサとからなる直列回路が、上記差動信号線路を構成している各信号線に対して並列に接続されて、各直列回路の他端が外部接続端子に接続されて互いに短絡されており、
上記差動信号線路、上記コモンモードチョークコイル及び上記直列回路を内装するケーブル中継コネクタケースを備え、上記線路接続部材及び上記外部接続端子が、上記ケーブル中継コネクタケースの外部の回路又は導体と接続自在に上記ケーブル中継コネクタケースに取り付けられているケーブル中継コネクタ。
【請求項１２】
同一振幅で逆位相のディファレンシャルモード信号を伝搬する少なくとも一対以上の信号線から構成されている差動信号線路と、上記差動信号線路を構成している各信号線の端部のそれぞれが接続される入出力端子を収容している線路接続部材とを備え、
上記差動信号線路を伝搬するディファレンシャルモード信号に対しては高インピーダンスで、上記差動信号線路を伝搬するコモンモードノイズに対しては低インピーダンスであるディファレンシャルモードチョークコイルと、上記ディファレンシャルモードチョークコイルと直列に接続されているコンデンサとからなる直列回路が、上記差動信号線路を構成している各信号線に対して並列に接続されて、各直列回路の他端が外部接続端子に接続されて互いに短絡されており、
上記差動信号線路及び上記直列回路を内装するケーブル中継コネクタケースを備え、上記線路接続部材及び上記外部接続端子が、上記ケーブル中継コネクタケースの外部の回路又は導体と接続自在に上記ケーブル中継コネクタケースに取り付けられているケーブル中継コネクタ。
【請求項１３】
ケーブル中継コネクタケースが導電性ケースで構成されていることを特徴とする請求項１１または請求項１２記載のケーブル中継コネクタ。
【請求項１４】
外部接続端子が複数の端子又はリード線で構成されていることを特徴とする請求項１１から請求項１３のうちのいずれか１項記載のケーブル中継コネクタ。
【請求項１５】
同一振幅で逆位相のディファレンシャルモード信号を伝搬する少なくとも一対以上の信号線から構成されている差動信号線路と、上記差動信号線路を構成している各信号線に対して直列に接続されており、上記差動信号線路を伝搬するディファレンシャルモード信号に対しては低インピーダンスで、上記差動信号線路を伝搬するコモンモードノイズに対しては高インピーダンスであるコモンモードチョークコイルと、上記差動信号線路を構成している各信号線に対して並列に接続されており、上記差動信号線路を伝搬するディファレンシャルモード信号に対しては高インピーダンスで、上記差動信号線路を伝搬するコモンモードノイズに対しては低インピーダンスであるディファレンシャルモードチョークコイルと、上記ディファレンシャルモードチョークコイルと直列に接続されてコンデンサとを備え、
上記ディファレンシャルモードチョークコイルと上記コンデンサからなる直列回路の一端が上記差動信号線路を構成している各信号線に接続され、各直列回路の他端同士が短絡されており、
裏面に地導体が配置されている誘電体基板の表面に、上記差動信号線路を構成している各信号線の端部に接続される入出力端子を内包しているコネクタ、上記差動信号線路、上記コモンモードチョークコイル及び上記直列回路が配置され、上記短絡の箇所が上記地導体と電気的に接続されているコモンモードノイズフィルタ。
【請求項１６】
誘電体基板の表面に配置されているコネクタ、コモンモードチョークコイル及び直列回路の中の少なくとも一つが、上記誘電体基板の裏面に配置されていることを特徴とする請求項１５記載のコモンモードノイズフィルタ。
【請求項１７】
誘電体基板の裏面に配置されている地導体のうち、コモンモードチョークコイルの下部に位置している部分が除去されていることを特徴とする請求項１５記載のコモンモードノイズフィルタ。
【請求項１８】
誘電体基板の裏面に配置されている地導体のうち、コネクタとコモンモードチョークコイル間の差動信号線路の下部に位置している部分と、上記コモンモードチョークコイルの下部に位置している部分とが除去されていることを特徴とする請求項１５記載のコモンモードノイズフィルタ。
【請求項１９】
地導体の除去箇所の形状が、差動信号線路に対して線対称な形状であることを特徴とする請求項１７または請求項１８記載のコモンモードノイズフィルタ。
【請求項２０】
リング状の磁性体に対して、一対の信号線が円周方向に等間隔で巻かれ、かつ、一対の信号線間の距離が密に巻かれることで、コモンモードチョークコイルが構成されていることを特徴とする請求項１５から請求項１９のうちのいずれか１項記載のコモンモードノイズフィルタ。
【請求項２１】
リング状の磁性体に対して、一対の信号線が円周方向に等間隔で巻かれ、かつ、一対の信号線間の距離が密に巻かれることで、ディファレンシャルモードチョークコイルが構成されていることを特徴とする請求項１５から請求項２０のうちのいずれか１項記載のコモンモードノイズフィルタ。
【請求項２２】
コモンモードチョークコイルを構成している一対の信号線と、差動信号線路を構成している一対の信号線とを結ぶ一対の接続線が等長であることを特徴とする請求項２０記載のコモンモードノイズフィルタ。
【請求項２３】
ディファレンシャルモードチョークコイルを構成している一対の信号線と、差動信号線路を構成している一対の信号線とを結ぶ一対の接続線が等長であることを特徴とする請求項２１記載のコモンモードノイズフィルタ。
【発明の詳細な説明】
【技術分野】
【０００１】
この発明は、差動信号線路を伝搬するコモンモードノイズを減衰させるコモンモードノイズフィルタと、そのコモンモードノイズフィルタを内装している信号伝送ケーブル及びケーブル中継コネクタに関するものである。
【背景技術】
【０００２】
コモンモードノイズフィルタは、差動信号線路を伝搬するコモンモードノイズを減衰させるためのフィルタである。
ここで、差動信号線路は、本来、ディファレンシャルモード信号（互いの振幅が同一で、かつ、位相が逆位相の信号）を伝搬する一対の信号線であるが、そのディファレンシャルモード信号を伝搬する際、コモンモードノイズを一緒に伝搬してしまうことがある。
コモンモードノイズは、互いの振幅が同一で、かつ、位相が同一の信号であり、放射ノイズ、データエラーや、装置誤作動の要因となり得るものである。
【０００３】
図２４は以下の特許文献１に開示されているコモンモードノイズフィルタの概略構成を示す回路図である。
図２４において、差動信号線路１０１は信号線１０１ａと信号線１０１ｂから構成されている。
信号線１０１ａと信号線１０１ｂは互いの振幅が同一で、かつ、位相が逆位相の信号であるディファレンシャルモード信号を伝搬する。
【０００４】
コモンモードチョークコイル１０２ａは信号線１０１ａに対して直列に接続されており、信号線１０１ａを伝搬するディファレンシャルモード信号に対しては低インピーダンスであって、信号線１０１ａを伝搬するコモンモードノイズに対しては高インピーダンスとなるインダクタである。
コモンモードチョークコイル１０２ｂは信号線１０１ｂに対して直列に接続されており、信号線１０１ｂを伝搬するディファレンシャルモード信号に対しては低インピーダンスであって、信号線１０１ｂを伝搬するコモンモードノイズに対しては高インピーダンスとなるインダクタである。
【０００５】
信号線１０１ａの一方の端部は入出力端子１０３ａと接続され、他方の端部は入出力端子１０４ａと接続されている。
信号線１０１ｂの一方の端部は入出力端子１０３ｂと接続され、他方の端部は入出力端子１０４ｂと接続されている。
【０００６】
次に動作について説明する。
コモンモードチョークコイル１０２ａ，１０２ｂは、信号線１０１ａ，１０１ｂを伝搬するディファレンシャルモード信号に対しては低インピーダンスとなり、信号線１０１ａ，１０１ｂを伝搬するコモンモードノイズに対しては高インピーダンスとなる。
このため、コモンモードチョークコイル１０２ａ，１０２ｂにおいて、ディファレンシャルモード信号は減衰しないが、コモンモードノイズは減衰する。
その結果、例えば、入出力端子１０３ａと入出力端子１０３ｂから同時にディファレンシャルモード信号及びコモンモードノイズが入力された場合、そのディファレンシャルモード信号は減衰されずに、入出力端子１０４ａ，１０４ｂから出力されるが、そのコモンモードノイズは減衰されて、減衰後のコモンモードノイズが入出力端子１０４ａ，１０４ｂから出力される。
【先行技術文献】
【特許文献】
【０００７】
【特許文献１】特開２００６−２７０５３３号公報（図１）
【発明の概要】
【発明が解決しようとする課題】
【０００８】
従来のコモンモードノイズフィルタは以上のように構成されているので、コモンモードチョークコイル１０２ａ，１０２ｂのインピーダンスが、信号線１０１ａ，１０１ｂを伝搬するコモンモードノイズに対して高インピーダンスとなるように設定されていれば、信号線１０１ａ，１０１ｂを伝搬するコモンモードノイズを減衰させることができる。しかし、コモンモードチョークコイル１０２ａ，１０２ｂのインピーダンスは、特定の帯域でのみ高インピーダンスとなり、その値も有限値である。そのため、コモンモードノイズに対する減衰量の増加と減衰帯域の広帯域化を図ることが困難である課題があった。
【０００９】
この発明は上記のような課題を解決するためになされたもので、コモンモードノイズに対する減衰量の増加と減衰帯域の広帯域化を図ることができるコモンモードノイズフィルタを得ることを目的とする。
また、この発明は、コモンモードノイズに対する減衰量の増加と減衰帯域の広帯域化を図ることができるコモンモードノイズフィルタを内装している信号伝送ケーブル及びケーブル中継コネクタを得ることを目的とする。
【課題を解決するための手段】
【００１０】
この発明に係るコモンモードノイズフィルタは、差動信号線路を伝搬するディファレンシャルモード信号に対しては低インピーダンスで、その差動信号線路を伝搬するコモンモードノイズに対しては高インピーダンスであるコモンモードチョークコイルを、その差動信号線路を構成している各信号線に対して直列に接続するとともに、その差動信号線路を伝搬するディファレンシャルモード信号に対しては高インピーダンスで、その差動信号線路を伝搬するコモンモードノイズに対しては低インピーダンスであるディファレンシャルモードチョークコイルを、その差動信号線路を構成している各信号線に対して並列に接続するようにしたものである。
【発明の効果】
【００１１】
この発明によれば、差動信号線路を伝搬するディファレンシャルモード信号に対しては低インピーダンスで、その差動信号線路を伝搬するコモンモードノイズに対しては高インピーダンスであるコモンモードチョークコイルを、その差動信号線路を構成している各信号線に対して直列に接続するとともに、その差動信号線路を伝搬するディファレンシャルモード信号に対しては高インピーダンスで、その差動信号線路を伝搬するコモンモードノイズに対しては低インピーダンスであるディファレンシャルモードチョークコイルを、その差動信号線路を構成している各信号線に対して並列に接続するように構成したので、コモンモードノイズに対する減衰量の増加と減衰帯域の広帯域化を図ることができる効果がある。
【図面の簡単な説明】
【００１２】
【図１】この発明の実施の形態１によるコモンモードノイズフィルタの構成を示す回路図である。
【図２】この発明の実施の形態２によるコモンモードノイズフィルタの構成を示す回路図である。
【図３】この発明の実施の形態３によるコモンモードノイズフィルタの構成を示す回路図である。
【図４】この発明の実施の形態４によるコモンモードノイズフィルタを示す斜視図である。
【図５】この発明の実施の形態４によるコモンモードノイズフィルタの構成を示す回路図である。
【図６】この発明の実施の形態５による信号伝送ケーブルを示す斜視図である。
【図７】この発明の実施の形態５による信号伝送ケーブルの構成を示す回路図である。
【図８】この発明の実施の形態６による信号伝送ケーブルを示す斜視図である。
【図９】この発明の実施の形態６による信号伝送ケーブルの構成を示す回路図である。
【図１０】この発明の実施の形態７による信号伝送ケーブルを示す斜視図である。
【図１１】この発明の実施の形態７による信号伝送ケーブルの構成を示す回路図である。
【図１２】この発明の実施の形態８によるケーブル中継コネクタを示す斜視図である。
【図１３】この発明の実施の形態８によるケーブル中継コネクタの構成を示す回路図である。
【図１４】この発明の実施の形態９によるケーブル中継コネクタを示す斜視図である。
【図１５】この発明の実施の形態９によるケーブル中継コネクタの構成を示す回路図である。
【図１６】この発明の実施の形態１０によるケーブル中継コネクタを示す斜視図である。
【図１７】この発明の実施の形態１０によるケーブル中継コネクタの構成を示す回路図である。
【図１８】この発明の実施の形態１１によるコモンモードノイズフィルタの構成を示す回路図である。
【図１９】この発明の実施の形態１２によるコモンモードノイズフィルタの構成を示す回路図である。
【図２０】この発明の実施の形態１３によるコモンモードノイズフィルタの構成を示す回路図である。
【図２１】この発明の実施の形態１４によるコモンモードノイズフィルタの構成を示す上面図である。
【図２２】この発明の実施の形態１５によるコモンモードノイズフィルタのコモンモードチョークコイルを示す構成図である。
【図２３】この発明の実施の形態１５によるコモンモードノイズフィルタのディファレンシャルチョークコイルを示す構成図である。
【図２４】特許文献１に開示されているコモンモードノイズフィルタの概略構成を示す回路図である。
【発明を実施するための形態】
【００１３】
実施の形態１．
図１はこの発明の実施の形態１によるコモンモードノイズフィルタの構成を示す回路図である。
図１において、差動信号線路１は一対の信号線１ａ，１ｂから構成されている。
信号線１ａと信号線１ｂは互いの振幅が同一で、かつ、位相が逆位相の信号であるディファレンシャルモード信号を伝搬する。
図１では、差動信号線路１が一対の信号線１ａ，１ｂから構成されている例を示しているが、これに限るものではなく、差動信号線路１が二対以上の信号線から構成されていてもよい。
【００１４】
コモンモードチョークコイル２ａは信号線１ａに対して直列に接続されており、信号線１ａを伝搬するディファレンシャルモード信号に対しては低インピーダンスであって、信号線１ａを伝搬するコモンモードノイズに対しては高インピーダンスとなるインダクタである。
コモンモードチョークコイル２ｂは信号線１ｂに対して直列に接続されており、信号線１ｂを伝搬するディファレンシャルモード信号に対しては低インピーダンスであって、信号線１ｂを伝搬するコモンモードノイズに対しては高インピーダンスとなるインダクタである。
【００１５】
入出力端子３ａは信号線１ａの一方の端部が接続されている端子である。
入出力端子３ｂは信号線１ｂの一方の端部が接続されている端子である。
入出力端子４ａは信号線１ａの他方の端部が接続されている端子である。
入出力端子４ｂは信号線１ｂの他方の端部が接続されている端子である。
【００１６】
直列回路５ａはコンデンサ６ａとディファレンシャルモードチョークコイル７ａが直列に接続されている回路であって、直列回路５ａは信号線１ａに対して並列に接続されている。
直列回路５ｂはコンデンサ６ｂとディファレンシャルモードチョークコイル７ｂが直列に接続されている回路であって、直列回路５ｂは信号線１ｂに対して並列に接続されている。
【００１７】
コンデンサ６ａは一端が差動信号線路１の信号線１ａと接続され、他端がディファレンシャルモードチョークコイル７ａと接続されている。
コンデンサ６ｂは一端が差動信号線路１の信号線１ｂと接続され、他端がディファレンシャルモードチョークコイル７ｂと接続されている。
【００１８】
ディファレンシャルモードチョークコイル７ａは信号線１ａに対して並列に接続されており、信号線１ａを伝搬するディファレンシャルモード信号に対しては高インピーダンスであって、信号線１ａを伝搬するコモンモードノイズに対しては低インピーダンスとなるインダクタである。
ディファレンシャルモードチョークコイル７ｂは信号線１ｂに対して並列に接続されており、信号線１ｂを伝搬するディファレンシャルモード信号に対しては高インピーダンスであって、信号線１ｂを伝搬するコモンモードノイズに対しては低インピーダンスとなるインダクタである。
なお、ディファレンシャルモードチョークコイル７ａ，７ｂの一端はコンデンサ６ａ，６ｂの他端と接続されているが、ディファレンシャルモードチョークコイル７ａ，７ｂの他端同士は短絡されている。図中、Ｓは短絡箇所を示している。
【００１９】
図１では、差動信号線路１の短絡を防止する目的で、コンデンサ６ａ，６ｂが信号線１ａ，１ｂとディファレンシャルモードチョークコイル７ａ，７ｂの間に接続されている例を示しているが、差動信号線路１の短絡を防止する目的を達成するためには、コンデンサ６ａ，６ｂがディファレンシャルモードチョークコイル７ａ，７ｂと短絡箇所Ｓとの間に接続されていてもよい。
外部接続端子８はディファレンシャルモードチョークコイル７ａ，７ｂの他端が接続されている端子であり、外部接続端子８には、例えば、金属線等を介して、コモンモードノイズフィルタの内外の導体等と接続される。
【００２０】
次に動作について説明する。
コモンモードチョークコイル２ａ，２ｂは、信号線１ａ，１ｂを伝搬するディファレンシャルモード信号に対しては低インピーダンスとなり、信号線１ａ，１ｂを伝搬するコモンモードノイズに対しては高インピーダンスとなる。
このため、コモンモードチョークコイル２ａ，２ｂにおいて、ディファレンシャルモード信号は減衰しないが、コモンモードノイズは減衰する。
【００２１】
また、ディファレンシャルモードチョークコイル７ａ，７ｂは、信号線１ａ，１ｂを伝搬するディファレンシャルモード信号に対しては高インピーダンスとなり、信号線１ａ，１ｂを伝搬するコモンモードノイズに対しては低インピーダンスとなる。
このため、ディファレンシャルモードチョークコイル７ａ，７ｂにおいて、コモンモードノイズはほとんど減衰しないで、ディファレンシャルモードチョークコイル７ａ，７ｂを通過するが、ディファレンシャルモード信号はディファレンシャルモードチョークコイル７ａ，７ｂをほとんど通過しない。
【００２２】
その結果、例えば、入出力端子３ａと入出力端子３ｂから同時にディファレンシャルモード信号及びコモンモードノイズが入力された場合、そのディファレンシャルモード信号は、コモンモードチョークコイル２ａ，２ｂによって減衰されずに、入出力端子４ａ，４ｂ側に伝搬されて、入出力端子４ａ，４ｂから出力される。
このとき、ディファレンシャルモードチョークコイル７ａ，７ｂは、ディファレンシャルモード信号に対して高インピーダンスとなるため、ディファレンシャルモード信号は外部接続端子８側にはほとんど伝搬されない。
【００２３】
入出力端子３ａ，３ｂから入力されたコモンモードノイズは、コモンモードチョークコイル２ａ，２ｂによって減衰される。
このとき、ディファレンシャルモードチョークコイル７ａ，７ｂは、コモンモードノイズに対して低インピーダンスとなるため、コモンモードチョークコイル２ａ，２ｂによって減衰されたコモンモードノイズは、外部接続端子８側に伝搬されて、外部接続端子８から出力される。
これにより、入出力端子４ａ，４ｂからコモンモードノイズがほとんど出力されなくなる。
【００２４】
したがって、差動信号線路１を構成している信号線１ａ，１ｂに対して、コモンモードチョークコイル２ａ，２ｂが直列に接続されているだけのコモンモードノイズフィルタ（図２４のコモンモードノイズフィルタが相当）よりも、差動信号線路１を構成している信号線１ａ，１ｂに対して、ディファレンシャルモードチョークコイル７ａ，７ｂが並列に接続されているコモンモードノイズフィルタでは、コモンモードノイズの減衰帯域が広帯域になるとともに、減衰量が高くなる。
また、差動信号線路１を構成している信号線１ａ，１ｂに対して、ディファレンシャルモードチョークコイル７ａ，７ｂを並列に接続しているので、差動信号線路１の線路長方向の大型化を招くことがない。
【００２５】
ここでは、入出力端子３ａと入出力端子３ｂから同時にディファレンシャルモード信号及びコモンモードノイズが入力された場合について示したが、入出力端子４ａと入出力端子４ｂから同時にディファレンシャルモード信号及びコモンモードノイズが入力された場合も、同様の原理で、ディファレンシャルモード信号は入出力端子３ａ，３ｂ側に伝搬されるが、コモンモードノイズは入出力端子３ａ，３ｂ側にほとんど伝搬されない。
【００２６】
以上で明らかなように、この実施の形態１によれば、差動信号線路１を伝搬するディファレンシャルモード信号に対しては低インピーダンスで、その差動信号線路１を伝搬するコモンモードノイズに対しては高インピーダンスであるコモンモードチョークコイル２ａ，２ｂを、その差動信号線路１を構成している信号線１ａ，１ｂに対して直列に接続するとともに、その差動信号線路１を伝搬するディファレンシャルモード信号に対しては高インピーダンスで、その差動信号線路１を伝搬するコモンモードノイズに対しては低インピーダンスであるディファレンシャルモードチョークコイル７ａ，７ｂを、その差動信号線路１を構成している信号線１ａ，１ｂに対して並列に接続するように構成したので、コモンモードノイズに対する減衰量の増加と減衰帯域の広帯域化を図ることができる効果を奏する。
【００２７】
実施の形態２．
図２はこの発明の実施の形態２によるコモンモードノイズフィルタの構成を示す回路図である。
図２のコモンモードノイズフィルタでは、図１のコモンモードノイズフィルタと比べて、コモンモードチョークコイル２ａ，２ｂが信号線１ａ，１ｂに対して直列に接続されていない点で相違している。
図２では、差動信号線路１が一対の信号線１ａ，１ｂから構成されている例を示しているが、これに限るものではなく、差動信号線路１が二対以上の信号線から構成されていてもよい。
【００２８】
次に動作について説明する。
ディファレンシャルモードチョークコイル７ａ，７ｂは、信号線１ａ，１ｂを伝搬するディファレンシャルモード信号に対しては高インピーダンスとなり、信号線１ａ，１ｂを伝搬するコモンモードノイズに対しては低インピーダンスとなる。
このため、ディファレンシャルモードチョークコイル７ａ，７ｂにおいて、コモンモードノイズはほとんど減衰しないで、ディファレンシャルモードチョークコイル７ａ，７ｂを通過するが、ディファレンシャルモード信号はディファレンシャルモードチョークコイル７ａ，７ｂをほとんど通過しない。
【００２９】
その結果、例えば、入出力端子３ａと入出力端子３ｂから同時にディファレンシャルモード信号及びコモンモードノイズが入力された場合、ディファレンシャルモードチョークコイル７ａ，７ｂは、ディファレンシャルモード信号に対して高インピーダンスとなるため、ディファレンシャルモード信号は外部接続端子８側にはほとんど伝搬されずに、入出力端子４ａ，４ｂ側に伝搬されて、入出力端子４ａ，４ｂから出力される。
また、ディファレンシャルモードチョークコイル７ａ，７ｂは、コモンモードノイズに対して低インピーダンスとなるため、コモンモードノイズは、外部接続端子８側に伝搬されて、外部接続端子８から出力される。
これにより、入出力端子４ａ，４ｂからコモンモードノイズがほとんど出力されなくなる。
【００３０】
ここでは、入出力端子３ａと入出力端子３ｂから同時にディファレンシャルモード信号及びコモンモードノイズが入力された場合について示したが、入出力端子４ａと入出力端子４ｂから同時にディファレンシャルモード信号及びコモンモードノイズが入力された場合も、同様の原理で、ディファレンシャルモード信号は入出力端子３ａ，３ｂ側に伝搬されるが、コモンモードノイズは入出力端子３ａ，３ｂ側にほとんど伝搬されない。
【００３１】
この実施の形態２によれば、上記実施の形態１と同様に、差動信号線路１を構成している信号線１ａ，１ｂに対して、ディファレンシャルモードチョークコイル７ａ，７ｂを並列に接続しているので、差動信号線路１の線路長方向の大型化を招くことがない。
このため、コモンモードノイズに対する減衰量の増加と減衰帯域の広帯域化を図ることができるとともに、差動信号線路１の線路長方向の小型化を容易に図ることができるコモンモードノイズフィルタを実現することができる。
【００３２】
実施の形態３．
図３はこの発明の実施の形態３によるコモンモードノイズフィルタの構成を示す回路図であり、図において、図１と同一符号は同一又は相当部分を示すので説明を省略する。
図３では、差動信号線路１が一対の信号線１ａ，１ｂから構成されている例を示しているが、これに限るものではなく、差動信号線路１が二対以上の信号線から構成されていてもよい。
【００３３】
コモンモードチョークコイル２ａ１は信号線１ａに対して直列に接続されており、信号線１ａを伝搬するディファレンシャルモード信号に対しては低インピーダンスであって、信号線１ａを伝搬するコモンモードノイズに対しては高インピーダンスとなるインダクタである。
コモンモードチョークコイル２ａ２は信号線１ａに対して直列に接続されており、信号線１ａを伝搬するディファレンシャルモード信号に対しては低インピーダンスであって、信号線１ａを伝搬するコモンモードノイズに対しては高インピーダンスとなるインダクタである。
【００３４】
コモンモードチョークコイル２ｂ１は信号線１ｂに対して直列に接続されており、信号線１ｂを伝搬するディファレンシャルモード信号に対しては低インピーダンスであって、信号線１ｂを伝搬するコモンモードノイズに対しては高インピーダンスとなるインダクタである。
コモンモードチョークコイル２ｂ２は信号線１ｂに対して直列に接続されており、信号線１ｂを伝搬するディファレンシャルモード信号に対しては低インピーダンスであって、信号線１ｂを伝搬するコモンモードノイズに対しては高インピーダンスとなるインダクタである。
【００３５】
図１では、信号線１ａに対して、２つのコモンモードチョークコイル２ａ１，２ａ２が直列に接続され、信号線１ｂに対して、２つのコモンモードチョークコイル２ｂ１，２ｂ２が直列に接続されている例を示したが、これに限るものではなく、信号線１ａに対して、３つ以上のコモンモードチョークコイル２ａが直列に接続され、信号線１ｂに対して、３つ以上のコモンモードチョークコイル２ｂが直列に接続されていてもよい。
【００３６】
直列回路５ａ１はコンデンサ６ａ１とディファレンシャルモードチョークコイル７ａ１が直列に接続されている回路であって、直列回路５ａ１は信号線１ａに対して並列に接続されている。
直列回路５ａ２はコンデンサ６ａ２とディファレンシャルモードチョークコイル７ａ２が直列に接続されている回路であって、直列回路５ａ２は信号線１ａに対して並列に接続されている。
【００３７】
直列回路５ｂ１はコンデンサ６ｂ１とディファレンシャルモードチョークコイル７ｂ１が直列に接続されている回路であって、直列回路５ｂ１は信号線１ｂに対して並列に接続されている。
直列回路５ｂ２はコンデンサ６ｂ２とディファレンシャルモードチョークコイル７ｂ２が直列に接続されている回路であって、直列回路５ｂ２は信号線１ｂに対して並列に接続されている。
【００３８】
図１では、信号線１ａに対して、２つの直列回路５ａ１，５ａ２が並列に接続され、信号線１ｂに対して、２つの直列回路５ｂ１，５ｂ２が並列に接続されている例を示したが、これに限るものではなく、信号線１ａに対して、３つ以上の直列回路５ａが並列に接続され、信号線１ｂに対して、３つ以上の３つ以上の直列回路５ｂが並列に接続されていてもよい。
【００３９】
コンデンサ６ａ１は一端が信号線１ａと接続され、他端がディファレンシャルモードチョークコイル７ａ１と接続されている。
コンデンサ６ａ２は一端が信号線１ａと接続され、他端がディファレンシャルモードチョークコイル７ａ２と接続されている。
コンデンサ６ｂ１は一端が信号線１ｂと接続され、他端がディファレンシャルモードチョークコイル７ｂ１と接続されている。
コンデンサ６ｂ２は一端が信号線１ｂと接続され、他端がディファレンシャルモードチョークコイル７ｂ２と接続されている。
【００４０】
ディファレンシャルモードチョークコイル７ａ１は信号線１ａに対して並列に接続されており、信号線１ａを伝搬するディファレンシャルモード信号に対しては高インピーダンスであって、信号線１ａを伝搬するコモンモードノイズに対しては低インピーダンスとなるインダクタである。
ディファレンシャルモードチョークコイル７ａ２は信号線１ａに対して並列に接続されており、信号線１ａを伝搬するディファレンシャルモード信号に対しては高インピーダンスであって、信号線１ａを伝搬するコモンモードノイズに対しては低インピーダンスとなるインダクタである。
【００４１】
ディファレンシャルモードチョークコイル７ｂ１は信号線１ｂに対して並列に接続されており、信号線１ｂを伝搬するディファレンシャルモード信号に対しては高インピーダンスであって、信号線１ｂを伝搬するコモンモードノイズに対しては低インピーダンスとなるインダクタである。
ディファレンシャルモードチョークコイル７ｂ２は信号線１ｂに対して並列に接続されており、信号線１ｂを伝搬するディファレンシャルモード信号に対しては高インピーダンスであって、信号線１ｂを伝搬するコモンモードノイズに対しては低インピーダンスとなるインダクタである。
【００４２】
なお、ディファレンシャルモードチョークコイル７ａ１，７ｂ１の一端はコンデンサ６ａ１，６ｂ１の他端と接続されているが、ディファレンシャルモードチョークコイル７ａ１，７ｂ１の他端同士は短絡されている。
また、ディファレンシャルモードチョークコイル７ａ２，７ｂ２の一端はコンデンサ６ａ２，６ｂ２の他端と接続されているが、ディファレンシャルモードチョークコイル７ａ２，７ｂ２の他端同士は短絡されている。
【００４３】
図３では、差動信号線路１の短絡を防止する目的で、コンデンサ６ａ１，６ａ２，６ｂ１，６ｂ２が信号線１ａ，１ｂとディファレンシャルモードチョークコイル７ａ１，７ａ２，７ｂ１，７ｂ２の間に接続されている例を示しているが、差動信号線路１の短絡を防止する目的を達成するためには、コンデンサ６ａ１，６ａ２，６ｂ１，６ｂ２がディファレンシャルモードチョークコイル７ａ１，７ａ２，７ｂ１，７ｂ２と短絡箇所Ｓとの間に接続されていてもよい。
【００４４】
次に動作について説明する。
コモンモードチョークコイル２ａ１，２ａ２，２ｂ１，２ｂ２は、信号線１ａ，１ｂを伝搬するディファレンシャルモード信号に対しては低インピーダンスとなり、信号線１ａ，１ｂを伝搬するコモンモードノイズに対しては高インピーダンスとなる。
このため、コモンモードチョークコイル２ａ１，２ａ２，２ｂ１，２ｂ２において、ディファレンシャルモード信号は減衰しないが、コモンモードノイズは減衰する。
【００４５】
また、ディファレンシャルモードチョークコイル７ａ１，７ａ２，７ｂ１，７ｂ２は、信号線１ａ，１ｂを伝搬するディファレンシャルモード信号に対しては高インピーダンスとなり、信号線１ａ，１ｂを伝搬するコモンモードノイズに対しては低インピーダンスとなる。
このため、ディファレンシャルモードチョークコイル７ａ１，７ａ２，７ｂ１，７ｂ２において、コモンモードノイズはほとんど減衰しないで、ディファレンシャルモードチョークコイル７ａ１，７ａ２，７ｂ１，７ｂ２を通過するが、ディファレンシャルモード信号はディファレンシャルモードチョークコイル７ａ１，７ａ２，７ｂ１，７ｂ２をほとんど通過しない。
【００４６】
その結果、例えば、入出力端子３ａと入出力端子３ｂから同時にディファレンシャルモード信号及びコモンモードノイズが入力された場合、そのディファレンシャルモード信号は、コモンモードチョークコイル２ａ１，２ａ２，２ｂ１，２ｂ２によって減衰されずに、入出力端子４ａ，４ｂ側に伝搬されて、入出力端子４ａ，４ｂから出力される。
このとき、ディファレンシャルモードチョークコイル７ａ１，７ａ２，７ｂ１，７ｂ２は、ディファレンシャルモード信号に対して高インピーダンスとなるため、ディファレンシャルモード信号は外部接続端子８側にはほとんど伝搬されない。
【００４７】
入出力端子３ａ，３ｂから入力されたコモンモードノイズは、コモンモードチョークコイル２ａ１，２ａ２，２ｂ１，２ｂ２によって減衰される。
このとき、ディファレンシャルモードチョークコイル７ａ１，７ａ２，７ｂ１，７ｂ２は、コモンモードノイズに対して低インピーダンスとなるため、コモンモードチョークコイル２ａ１，２ａ２，２ｂ１，２ｂ２によって減衰されたコモンモードノイズは、外部接続端子８側に伝搬されて、外部接続端子８から出力される。
これにより、入出力端子４ａ，４ｂからコモンモードノイズがほとんど出力されなくなる。
【００４８】
したがって、差動信号線路１を構成している信号線１ａ，１ｂに対して、コモンモードチョークコイル２ａ，２ｂが直列に接続されているだけのコモンモードノイズフィルタ（図２４のコモンモードノイズフィルタが相当）よりも、差動信号線路１を構成している信号線１ａ，１ｂに対して、ディファレンシャルモードチョークコイル７ａ１，７ａ２，７ｂ１，７ｂ２が並列に接続されているコモンモードノイズフィルタでは、コモンモードノイズの減衰帯域が広帯域になるとともに、減衰量が高くなる。
また、差動信号線路１を構成している信号線１ａ，１ｂに対して、ディファレンシャルモードチョークコイル７ａ１，７ａ２，７ｂ１，７ｂ２を並列に接続しているので、差動信号線路１の線路長方向の大型化を招くことがない。
【００４９】
ここでは、入出力端子３ａと入出力端子３ｂから同時にディファレンシャルモード信号及びコモンモードノイズが入力された場合について示したが、入出力端子４ａと入出力端子４ｂから同時にディファレンシャルモード信号及びコモンモードノイズが入力された場合も、同様の原理で、ディファレンシャルモード信号は入出力端子３ａ，３ｂ側に伝搬されるが、コモンモードノイズは入出力端子３ａ，３ｂ側にほとんど伝搬されない。
【００５０】
以上で明らかなように、この実施の形態３によれば、差動信号線路１を構成している信号線１ａ，１ｂに対して、複数のコモンモードチョークコイル２ａ１，２ａ２，２ｂ１，２ｂ２が直列に接続され、差動信号線路１を構成している信号線１ａ，１ｂに対して、複数のディファレンシャルモードチョークコイル７ａ１，７ａ２，７ｂ１，７ｂ２が並列に接続されているように構成したので、図１や図２のコモンモードノイズフィルタよりも更に、コモンモードノイズに対する減衰量の増加と減衰帯域の広帯域化を図ることができる効果を奏する。
【００５１】
実施の形態４．
図４はこの発明の実施の形態４によるコモンモードノイズフィルタを示す斜視図であり、図５はこの発明の実施の形態４によるコモンモードノイズフィルタの構成を示す回路図である。図４及び図５において、図１と同一符号は同一又は相当部分を示すので説明を省略する。
導電性ケース９は図１のコモンモードノイズフィルタを内装している導電性のケースである。
なお、導電性ケース９には、図４に示すように、入出力端子３ａ，３ｂ，４ａ，４ｂ及び外部接続端子８が突出するように取り付けられている。
このため、入出力端子３ａ，３ｂ，４ａ，４ｂ及び外部接続端子８には、導電性ケース９の外部の回路又は導体を接続することができる。
【００５２】
次に動作について説明する。
図５におけるコモンモードノイズフィルタの回路構成は、図１のコモンモードノイズフィルタの回路構成と同様である。
このため、入出力端子３ａと入出力端子３ｂから同時にディファレンシャルモード信号及びコモンモードノイズが入力された場合、上記実施の形態１と同様に、ディファレンシャルモード信号は入出力端子４ａ，４ｂ側に伝搬されるが、コモンモードノイズは入出力端子４ａ，４ｂ側にほとんど伝搬されない。
また、入出力端子４ａと入出力端子４ｂから同時にディファレンシャルモード信号及びコモンモードノイズが入力された場合も、ディファレンシャルモード信号は入出力端子３ａ，３ｂ側に伝搬されるが、コモンモードノイズは入出力端子３ａ，３ｂ側にほとんど伝搬されない。
【００５３】
ただし、図４及び図５におけるコモンモードノイズフィルタでは、導電性ケース９が図１のコモンモードノイズフィルタを内装しているので、図１のコモンモードノイズフィルタよりも、外部ノイズの電磁結合に対する耐性が高くなる。
これにより、図４及び図５におけるコモンモードノイズフィルタでは、図１のコモンモードノイズフィルタと同等のコモンモードノイズの抑圧特性を有するほか、外部ノイズの電磁結合に対する耐性が高いコモンモードノイズフィルタを実現することができる。
【００５４】
この実施の形態４では、導電性ケース９が図１のコモンモードノイズフィルタを内装している例を示しているが、これに限るものではなく、例えば、導電性ケース９が図２や図３のコモンモードノイズフィルタを内装していてもよく、同様の効果を奏することができる。
【００５５】
また、この実施の形態４では、外部接続端子８が入出力端子４ａ，４ｂの近傍に配置されている例を示しているが、外部接続端子８の配置箇所を限定するものではない。
なお、外部接続端子８の形状は特に問わず、リード線などの形状であってもよい。
【００５６】
実施の形態５．
図６はこの発明の実施の形態５による信号伝送ケーブルを示す斜視図であり、図７はこの発明の実施の形態５による信号伝送ケーブルの構成を示す回路図である。
図６及び図７において、図１と同一符号は同一又は相当部分を示すので説明を省略する。
ケーブルコネクタケース１０は図１のコモンモードノイズフィルタを内装しているケースである。
なお、ケーブルコネクタケース１０には、図６に示すように、外部接続端子８が突出するように取り付けられている。
このため、外部接続端子８には、ケーブルコネクタケース１０の外部の回路又は導体を接続することができる。
【００５７】
差動信号ケーブル１１はディファレンシャルモード信号を伝送する信号伝送ケーブルであり、入出力端子４ａ，４ｂを介して、差動信号線路１を構成している信号線１ａ，１ｂと接続されている。
差動信号入出力端子１２は入出力端子３ａ，３ｂを収納している回路端子であり、差動信号入出力端子１２は外部の差動信号ケーブルコネクタ（図示せず）と接続可能な構造を有している。
【００５８】
次に動作について説明する。
図７におけるコモンモードノイズフィルタの回路構成は、図１のコモンモードノイズフィルタの回路構成と同様である。
このため、差動信号入出力端子１２が外部の差動信号ケーブルコネクタと接続されており、差動信号入出力端子１２に収納されている入出力端子３ａと入出力端子３ｂから同時にディファレンシャルモード信号及びコモンモードノイズが入力された場合、上記実施の形態１と同様に、ディファレンシャルモード信号は入出力端子４ａ，４ｂ側に伝搬されるが、コモンモードノイズは入出力端子４ａ，４ｂ側にほとんど伝搬されない。
したがって、入出力端子４ａ，４ｂからディファレンシャルモード信号が出力されて、そのディファレンシャルモード信号が差動信号ケーブル１１により伝送されることになるが、入出力端子４ａ，４ｂからコモンモードノイズがほとんど出力されず、そのコモンモードノイズが差動信号ケーブル１１により伝送されることは少ない。
【００５９】
一方、差動信号ケーブル１１によりディファレンシャルモード信号及びコモンモードノイズが伝送されてきて、入出力端子４ａと入出力端子４ｂから同時にディファレンシャルモード信号及びコモンモードノイズが入力された場合も、ディファレンシャルモード信号は入出力端子３ａ，３ｂ側に伝搬されるが、コモンモードノイズは入出力端子３ａ，３ｂ側にほとんど伝搬されない。
したがって、入出力端子３ａ，３ｂからディファレンシャルモード信号が出力されて、そのディファレンシャルモード信号が外部の差動信号ケーブルコネクタに入力されることになるが、入出力端子３ａ，３ｂからコモンモードノイズがほとんど出力されず、そのコモンモードノイズが外部の差動信号ケーブルコネクタに入力されることは少ない。
【００６０】
この実施の形態５では、ケーブルコネクタケース１０が図１のコモンモードノイズフィルタを内装しているので、図１のコモンモードノイズフィルタと同等のコモンモードノイズの抑圧特性を有する差動信号ケーブル（図６の信号伝送ケーブル）を実現することができる。
また、差動信号ケーブルとして、図６の信号伝送ケーブルを使用することで、差動信号入出力端子１２の接続先の回路構成を変更することなく、コモンモードノイズを抑圧することが可能になる。
【００６１】
この実施の形態５では、ケーブルコネクタケース１０が図１のコモンモードノイズフィルタを内装している例を示しているが、これに限るものではなく、例えば、ケーブルコネクタケース１０が図２や図３のコモンモードノイズフィルタを内装していてもよく、同様の効果を奏することができる。
【００６２】
また、この実施の形態５では、外部接続端子８が入出力端子４ａ，４ｂの近傍に配置されている例を示しているが、外部接続端子８の配置箇所を限定するものではない。
なお、外部接続端子８の形状は特に問わず、リード線などの形状であってもよい。
【００６３】
実施の形態６．
図８はこの発明の実施の形態６による信号伝送ケーブルを示す斜視図であり、図９はこの発明の実施の形態６による信号伝送ケーブルの構成を示す回路図である。
図８及び図９において、図６及び図７と同一符号は同一又は相当部分を示すので説明を省略する。
導電性ケーブルコネクタケース１３は図１のコモンモードノイズフィルタを内装している導電性のケースである。
なお、導電性ケーブルコネクタケース１３には、図８に示すように、外部接続端子８が突出するように取り付けられている。
このため、外部接続端子８には、導電性ケーブルコネクタケース１３の外部の回路又は導体を接続することができる。
【００６４】
シールドケーブル１４は信号線の周りが導電性のシールド外皮で覆われている差動信号ケーブルであって、ディファレンシャルモード信号を伝送する信号伝送ケーブルであり、シールドケーブル１４は、入出力端子４ａ，４ｂを介して、差動信号線路１を構成している信号線１ａ，１ｂと接続されている。
【００６５】
次に動作について説明する。
図９におけるコモンモードノイズフィルタの回路構成は、図１のコモンモードノイズフィルタの回路構成と同様である。
このため、差動信号入出力端子１２が外部の差動信号ケーブルコネクタと接続されており、差動信号入出力端子１２に収納されている入出力端子３ａと入出力端子３ｂから同時にディファレンシャルモード信号及びコモンモードノイズが入力された場合、上記実施の形態１と同様に、ディファレンシャルモード信号は入出力端子４ａ，４ｂ側に伝搬されるが、コモンモードノイズは入出力端子４ａ，４ｂ側にほとんど伝搬されない。
したがって、入出力端子４ａ，４ｂからディファレンシャルモード信号が出力されて、そのディファレンシャルモード信号がシールドケーブル１４により伝送されることになるが、入出力端子４ａ，４ｂからコモンモードノイズがほとんど出力されず、そのコモンモードノイズがシールドケーブル１４により伝送されることは少ない。
【００６６】
一方、シールドケーブル１４によりディファレンシャルモード信号及びコモンモードノイズが伝送されてきて、入出力端子４ａと入出力端子４ｂから同時にディファレンシャルモード信号及びコモンモードノイズが入力された場合も、ディファレンシャルモード信号は入出力端子３ａ，３ｂ側に伝搬されるが、コモンモードノイズは入出力端子３ａ，３ｂ側にほとんど伝搬されない。
したがって、入出力端子３ａ，３ｂからディファレンシャルモード信号が出力されて、そのディファレンシャルモード信号が外部の差動信号ケーブルコネクタに入力されることになるが、入出力端子３ａ，３ｂからコモンモードノイズがほとんど出力されず、そのコモンモードノイズが外部の差動信号ケーブルコネクタに入力されることは少ない。
【００６７】
この実施の形態６では、導電性ケーブルコネクタケース１３が図１のコモンモードノイズフィルタを内装しているので、図１のコモンモードノイズフィルタと同等のコモンモードノイズの抑圧特性を有する差動信号ケーブル（図８の信号伝送ケーブル）を実現することができる。
また、差動信号ケーブルとして、図８の信号伝送ケーブルを使用することで、差動信号入出力端子１２の接続先の回路構成を変更することなく、コモンモードノイズを抑圧することが可能になる。
【００６８】
また、この実施の形態６では、コモンモードノイズフィルタを内装するケーブルコネクタケースとして、導電性ケーブルコネクタケース１３を使用するとともに、差動信号ケーブルとして、信号線の周りが導電性のシールド外皮で覆われているシールドケーブル１４を使用しているので、上記実施の形態５におけるコモンモードノイズフィルタよりも、外部ノイズの電磁結合に対する耐性が高くなる。
これにより、図８及び図９におけるコモンモードノイズフィルタでは、図１のコモンモードノイズフィルタと同等のコモンモードノイズの抑圧特性を有するほか、外部ノイズの電磁結合に対する耐性が高いコモンモードノイズフィルタを実現することができる。
【００６９】
この実施の形態６では、導電性ケーブルコネクタケース１３が図１のコモンモードノイズフィルタを内装している例を示しているが、これに限るものではなく、例えば、導電性ケーブルコネクタケース１３が図２や図３のコモンモードノイズフィルタを内装していてもよく、同様の効果を奏することができる。
【００７０】
また、この実施の形態６では、外部接続端子８が入出力端子４ａ，４ｂの近傍に配置されている例を示しているが、外部接続端子８の配置箇所を限定するものではない。
なお、外部接続端子８の形状は特に問わず、リード線などの形状であってもよい。
【００７１】
実施の形態７．
図１０はこの発明の実施の形態７による信号伝送ケーブルを示す斜視図であり、図１１はこの発明の実施の形態７による信号伝送ケーブルの構成を示す回路図である。
図１０及び図１１において、図６及び図７と同一符号は同一又は相当部分を示すので説明を省略する。
外部接続端子８ａ，８ｂはディファレンシャルモードチョークコイル７ａ，７ｂの他端が接続されている端子であり、外部接続端子８ａ，８ｂには、例えば、金属線等を介して、コモンモードノイズフィルタの内外の導体等と接続される。
なお、ケーブルコネクタケース１０には、図１０に示すように、外部接続端子８ａ，８ｂが突出するように取り付けられている。
このため、外部接続端子８ａ，８ｂには、ケーブルコネクタケース１０の外部の回路又は導体を接続することができる。
【００７２】
上記実施の形態５では、１つの外部接続端子８がケーブルコネクタケース１０に取り付けられているものについて示したが、２つの外部接続端子８ａ，８ｂがケーブルコネクタケース１０に取り付けられていてもよい。
図１０の例では、外部接続端子８ａが差動信号ケーブル１１の近傍に配置され、外部接続端子８ｂが差動信号入出力端子１２の近傍に配置されている。
外部接続端子８ｂが差動信号入出力端子１２の近傍に配置されている場合、信号伝送ケーブルの接続時に外部接続端子８ｂと外部の導体を容易に接続することができる。
【００７３】
この実施の形態７では、ケーブルコネクタケース１０が図１のコモンモードノイズフィルタを内装している例を示しているが、これに限るものではなく、例えば、ケーブルコネクタケース１０が図２や図３のコモンモードノイズフィルタを内装していてもよく、同様の効果を奏することができる。
【００７４】
また、この実施の形態７では、２つの外部接続端子８ａ，８ｂがケーブルコネクタケース１０に取り付けられているものを示しているが、３つ以上の外部接続端子８がケーブルコネクタケース１０に取り付けられていてもよい。
なお、外部接続端子８ａ，８ｂの形状は特に問わず、リード線などの形状であってもよい。
【００７５】
この実施の形態７では、ケーブルコネクタケース１０がコモンモードノイズフィルタを内装している例を示しているが、図８及び図９に示すように、導電性ケーブルコネクタケース１３がコモンモードノイズフィルタを内装しているようにしてもよい。
【００７６】
実施の形態８．
図１２はこの発明の実施の形態８によるケーブル中継コネクタを示す斜視図であり、図１３はこの発明の実施の形態８によるケーブル中継コネクタの構成を示す回路図である。
図１２及び図１３において、図１と同一符号は同一又は相当部分を示すので説明を省略する。
ケーブル中継コネクタケース１５は図１のコモンモードノイズフィルタを内装しているケースである。
なお、ケーブル中継コネクタケース１５には、図１２に示すように、外部接続端子８が突出するように取り付けられている。
このため、外部接続端子８には、ケーブル中継コネクタケース１５の外部の回路又は導体を接続することができる。
なお、外部接続端子８の形状は特に問わず、リード線などの形状であってもよい。
【００７７】
凸型コネクタ１６は入出力端子３ａ，３ｂを収容している凸型形状のコネクタであり、凸型コネクタ１６は、図示せぬ外部装置に取り付けられている凹型コネクタと結合されて、差動信号ケーブルを構成している各信号線と入出力端子３ａ，３ｂを電気的に接続する線路接続部材である。
ここでは、入出力端子３ａ，３ｂを収容している線路接続部材が凸型コネクタ１６である例を示しているが、必ずしもコネクタである必要はなく、単に入出力端子３ａ，３ｂが形成されている凸型形状の差動信号入出力端子であってもよい。
【００７８】
凹型コネクタ１７は入出力端子４ａ，４ｂを収容している凹型形状のコネクタであり、凹型コネクタ１７は、図示せぬ外部装置に取り付けられている凸型コネクタと結合されて、差動信号ケーブルを構成している各信号線と入出力端子４ａ，４ｂを電気的に接続する線路接続部材である。
ここでは、入出力端子４ａ，４ｂを収容している線路接続部材が凹型コネクタ１７である例を示しているが、必ずしもコネクタである必要はなく、単に入出力端子４ａ，４ｂが形成されている凹型形状の差動信号入出力端子であってもよい。
【００７９】
次に動作について説明する。
この実施の形態８では、入出力端子３ａ，３ｂを収容している凸型コネクタ１６が外部の差動信号ケーブルコネクタと接続され、入出力端子４ａ，４ｂを収容している凹型コネクタ１７が外部の差動信号ケーブルコネクタと接続されているものとする。
【００８０】
図１３におけるコモンモードノイズフィルタの回路構成は、図１のコモンモードノイズフィルタの回路構成と同様である。
このため、外部の差動信号ケーブルによりディファレンシャルモード信号及びコモンモードノイズが伝送されてきて、入出力端子３ａと入出力端子３ｂから同時にディファレンシャルモード信号及びコモンモードノイズが入力された場合、上記実施の形態１と同様に、ディファレンシャルモード信号は入出力端子４ａ，４ｂ側に伝搬されるが、コモンモードノイズは入出力端子４ａ，４ｂ側にほとんど伝搬されない。
したがって、入出力端子４ａ，４ｂからディファレンシャルモード信号が外部の差動信号ケーブルに出力されて、そのディファレンシャルモード信号が外部の差動信号ケーブルにより伝送されることになるが、入出力端子４ａ，４ｂからコモンモードノイズがほとんど出力されず、そのコモンモードノイズが外部の差動信号ケーブルにより伝送されることは少ない。
【００８１】
一方、外部の差動信号ケーブルによりディファレンシャルモード信号及びコモンモードノイズが伝送されてきて、入出力端子４ａと入出力端子４ｂから同時にディファレンシャルモード信号及びコモンモードノイズが入力された場合も、ディファレンシャルモード信号は入出力端子３ａ，３ｂ側に伝搬されるが、コモンモードノイズは入出力端子３ａ，３ｂ側にほとんど伝搬されない。
したがって、入出力端子３ａ，３ｂからディファレンシャルモード信号が外部の差動信号ケーブルに出力されて、そのディファレンシャルモード信号が外部の差動信号ケーブルにより伝送されることになるが、入出力端子３ａ，３ｂからコモンモードノイズがほとんど出力されず、そのコモンモードノイズが外部の差動信号ケーブルにより伝送されることは少ない。
これにより、図１２及び図１３におけるケーブル中継コネクタは、２つの差動信号ケーブル間や、２つの外部機器間などを中継接続することができる。
【００８２】
この実施の形態８では、ケーブル中継コネクタケース１５が図１のコモンモードノイズフィルタを内装しているので、図１のコモンモードノイズフィルタと同等のコモンモードノイズの抑圧特性を有するケーブル中継コネクタを実現することができる。
また、図１２及び図１３におけるケーブル中継コネクタを使用することで、凸型コネクタ１６や凹型コネクタ１７の接続先の回路構成を変更することなく、コモンモードノイズを抑圧することが可能になる。
【００８３】
この実施の形態８では、ケーブル中継コネクタケース１５が図１のコモンモードノイズフィルタを内装している例を示しているが、これに限るものではなく、例えば、ケーブル中継コネクタケース１５が図２や図３のコモンモードノイズフィルタを内装していてもよく、同様の効果を奏することができる。
【００８４】
また、この実施の形態８では、入出力端子３ａ，３ｂを収容しているコネクタの形状が凸型である凸型コネクタ１６であるものについて示しているが、コネクタの形状が凹型である凹型コネクタであってもよい。
また、入出力端子４ａ，４ｂを収容しているコネクタの形状が凹型である凹型コネクタ１７であるものについて示しているが、コネクタの形状が凸型である凸型コネクタであってもよい。
【００８５】
実施の形態９．
図１４はこの発明の実施の形態９によるケーブル中継コネクタを示す斜視図であり、図１５はこの発明の実施の形態９によるケーブル中継コネクタの構成を示す回路図である。
図１４及び図１５において、図１２及び図１３と同一符号は同一又は相当部分を示すので説明を省略する。
導電性ケーブル中継コネクタケース１８は図１のコモンモードノイズフィルタを内装している導電性のケースである。
なお、導電性ケーブル中継コネクタケース１８には、図１４に示すように、外部接続端子８が突出するように取り付けられている。
このため、外部接続端子８には、導電性ケーブル中継コネクタケース１８の外部の回路又は導体を接続することができる。
なお、外部接続端子８の形状は特に問わず、リード線などの形状であってもよい。
【００８６】
次に動作について説明する。
この実施の形態９では、上記実施の形態８と同様に、図１５におけるコモンモードノイズフィルタの回路構成は、図１のコモンモードノイズフィルタの回路構成と同様である。
このため、外部の差動信号ケーブルによりディファレンシャルモード信号及びコモンモードノイズが伝送されてきて、入出力端子３ａと入出力端子３ｂから同時にディファレンシャルモード信号及びコモンモードノイズが入力された場合、上記実施の形態１と同様に、ディファレンシャルモード信号は入出力端子４ａ，４ｂ側に伝搬されるが、コモンモードノイズは入出力端子４ａ，４ｂ側にほとんど伝搬されない。
したがって、入出力端子４ａ，４ｂからディファレンシャルモード信号が外部の差動信号ケーブルに出力されて、そのディファレンシャルモード信号が外部の差動信号ケーブルにより伝送されることになるが、入出力端子４ａ，４ｂからコモンモードノイズがほとんど出力されず、そのコモンモードノイズが外部の差動信号ケーブルにより伝送されることは少ない。
【００８７】
一方、外部の差動信号ケーブルによりディファレンシャルモード信号及びコモンモードノイズが伝送されてきて、入出力端子４ａと入出力端子４ｂから同時にディファレンシャルモード信号及びコモンモードノイズが入力された場合も、ディファレンシャルモード信号は入出力端子３ａ，３ｂ側に伝搬されるが、コモンモードノイズは入出力端子３ａ，３ｂ側にほとんど伝搬されない。
したがって、入出力端子３ａ，３ｂからディファレンシャルモード信号が外部の差動信号ケーブルに出力されて、そのディファレンシャルモード信号が外部の差動信号ケーブルにより伝送されることになるが、入出力端子３ａ，３ｂからコモンモードノイズがほとんど出力されず、そのコモンモードノイズが外部の差動信号ケーブルにより伝送されることは少ない。
これにより、図１４及び図１５におけるケーブル中継コネクタは、２つの差動信号ケーブル間や、２つの外部機器間などを中継接続することができる。
【００８８】
この実施の形態９では、導電性ケーブル中継コネクタケース１８が図１のコモンモードノイズフィルタを内装しているので、図１のコモンモードノイズフィルタと同等のコモンモードノイズの抑圧特性を有するケーブル中継コネクタを実現することができる。
また、図１４及び図１５におけるケーブル中継コネクタを使用することで、凸型コネクタ１６や凹型コネクタ１７の接続先の回路構成を変更することなく、コモンモードノイズを抑圧することが可能になる。
【００８９】
また、この実施の形態９では、コモンモードノイズフィルタを内装するケーブル中継コネクタケースとして、導電性ケーブル中継コネクタケース１８を使用しているので、上記実施の形態８におけるコモンモードノイズフィルタよりも、外部ノイズの電磁結合に対する耐性が高くなる。
これにより、図１４及び図１５におけるコモンモードノイズフィルタでは、図１のコモンモードノイズフィルタと同等のコモンモードノイズの抑圧特性を有するほか、外部ノイズの電磁結合に対する耐性が高いコモンモードノイズフィルタを実現することができる。
【００９０】
この実施の形態９では、導電性ケーブル中継コネクタケース１８が図１のコモンモードノイズフィルタを内装している例を示しているが、これに限るものではなく、例えば、導電性ケーブル中継コネクタケース１８が図２や図３のコモンモードノイズフィルタを内装していてもよく、同様の効果を奏することができる。
【００９１】
また、この実施の形態９では、入出力端子３ａ，３ｂを収容しているコネクタの形状が凸型である凸型コネクタ１６であるものについて示しているが、コネクタの形状が凹型である凹型コネクタであってもよい。
また、入出力端子４ａ，４ｂを収容しているコネクタの形状が凹型である凹型コネクタ１７であるものについて示しているが、コネクタの形状が凸型である凸型コネクタであってもよい。
【００９２】
実施の形態１０．
図１６はこの発明の実施の形態１０によるケーブル中継コネクタを示す斜視図であり、図１７はこの発明の実施の形態１０によるケーブル中継コネクタの構成を示す回路図である。
図１６及び図１７において、図１０から図１３と同一符号は同一又は相当部分を示すので説明を省略する。
【００９３】
上記実施の形態８では、１つの外部接続端子８がケーブル中継コネクタケース１５に取り付けられているものについて示したが、２つの外部接続端子８ａ，８ｂがケーブル中継コネクタケース１５に取り付けられていてもよい。
図１６の例では、外部接続端子８ａが凸型コネクタ１６の近傍に配置され、外部接続端子８ｂが凹型コネクタ１７の近傍に配置されている。
外部接続端子８ａが凸型コネクタ１６の近傍に配置され、外部接続端子８ｂが凹型コネクタ１７の近傍に配置されている場合、ケーブル中継コネクタの接続時に外部接続端子８ａ，８ｂと外部の導体を容易に接続することができる。
【００９４】
この実施の形態１０では、ケーブル中継コネクタケース１５が図１のコモンモードノイズフィルタを内装している例を示しているが、これに限るものではなく、例えば、ケーブル中継コネクタケース１５が図２や図３のコモンモードノイズフィルタを内装していてもよく、同様の効果を奏することができる。
【００９５】
また、この実施の形態１０では、２つの外部接続端子８ａ，８ｂがケーブル中継コネクタケース１５に取り付けられているものを示しているが、３つ以上の外部接続端子８がケーブル中継コネクタケース１５に取り付けられていてもよい。
なお、外部接続端子８ａ，８ｂの形状は特に問わず、リード線などの形状であってもよい。
【００９６】
この実施の形態１０では、ケーブル中継コネクタケース１５がコモンモードノイズフィルタを内装している例を示しているが、図１４及び図１５に示すように、導電性ケーブル中継コネクタケース１８がコモンモードノイズフィルタを内装しているようにしてもよい。
【００９７】
実施の形態１１．
図１８はこの発明の実施の形態１１によるコモンモードノイズフィルタの構成を示す回路図であり、図において、図１と同一符号は同一または相当部分を示すので説明を省略する。
コモンモードチョークコイル２は差動信号線路１を構成している信号線１ａ，１ｂと直列に接続されている図１のコモンモードチョークコイル２ａ，２ｂを内包している回路である。
直列回路５は図１の直列回路５ａ，５ｂを内包している回路である。
【００９８】
接続コネクタ２１は差動信号線路を構成している信号線１ａ，１ｂの端部に接続される入出力端子３ａ，３ｂを内包している部材であり、接続コネクタ２１は、例えば、ケーブルコネクタなどの他の接続コネクタと接続が可能な形状を有している。
誘電体基板２２は単層の基板であり、誘電体基板２２の表面には、接続コネクタ２１、コモンモードチョークコイル２及び直列回路５が配置され、誘電体基板２２の裏面には、地導体２３が配置されている。
スルーホール２４は誘電体基板２２に開けられた穴であり、スルーホール２４を介して、短絡箇所Ｓが地導体２３と電気的に接続されている。
【００９９】
次に動作について説明する。
図１８のコモンモードノイズフィルタの回路構成は、図１のコモンモードノイズフィルタと同様であり、接続コネクタ２１が外部の接続コネクタと接続されている。
このため、接続コネクタ２１に内包されている入出力端子３ａ，３ｂから同時にディファレンシャルモード信号とコモンモードノイズが入力された場合、上記実施の形態１と同様に、ディファレンシャルモード信号は入出力端子４ａ，４ｂ側に伝搬されるが、コモンモードノイズは入出力端子４ａ，４ｂ側にほとんど伝搬されない。
したがって、入出力端子４ａ，４ｂからディファレンシャルモード信号は出力されるが、入出力端子４ａ，４ｂからコモンモードノイズはほとんど出力されない。
【０１００】
一方、入出力端子４ａ，４ｂから同時にディファレンシャルモード信号とコモンモードノイズが入力された場合も、ディファレンシャルモード信号は接続コネクタ２１側に伝搬されるが、コモンモードノイズは接続コネクタ２１側にほとんど伝搬されない。
したがって、接続コネクタ２１からディファレンシャルモード信号は出力されることになるが、接続コネクタ２１からコモンモードノイズはほとんど出力されない。
これにより、上記実施の形態１のコモンモードノイズフィルタと同様のコモンモードノイズフィルタを、誘電体基板２２を用いた構成で実現することができる。
【０１０１】
なお、この実施の形態１１では、接続コネクタ２１、コモンモードチョークコイル２及び直列回路５が誘電体基板２２の表面に配置されている例を示したが、接続コネクタ２１、コモンモードチョークコイル２及び直列回路５の中の少なくとも一つが誘電体基板２２の裏面に配置されていてもよい。
【０１０２】
また、この実施の形態１１では、単層基板である誘電体基板２２の表面に接続コネクタ２１、コモンモードチョークコイル２及び直列回路５が配置されている例を示したが、誘電体基板２２を多層基板で構成して、地導体２３を誘電体基板２２の内部の層に配置し、接続コネクタ２１、コモンモードチョークコイル２及び直列回路５の中の少なくとも一つを誘電体基板２２の裏面に配置するようにしてもよい。
【０１０３】
実施の形態１２．
図１９はこの発明の実施の形態１２によるコモンモードノイズフィルタの構成を示す回路図であり、図において、図１８と同一符号は同一または相当部分を示すので説明を省略する。
図１９のコモンモードノイズフィルタでは、誘電体基板２２の裏面に配置されている地導体２３のうち、コモンモードチョークコイル２の下部に位置している部分が除去されている。削除箇所２５は地導体２３が削除されている部分を示している。
【０１０４】
次に動作について説明する。
図１９のコモンモードノイズフィルタの回路構成は、図１８のコモンモードノイズフィルタと同様である。
図１９のコモンモードノイズフィルタでは、コモンモードチョークコイル２の下部に位置している地導体２３が削除されているので、地導体２３が削除されていない場合よりも、コモンモードチョークコイル２がコモンモードノイズに対して高インピーダンスになり、より多くのコモンモードノイズを減衰することができる。
したがって、この実施の形態１２では、上記実施の形態１１よりも、多くのコモンモードノイズを減衰することが可能なコモンモードノイズフィルタを誘電体基板２２上に実現することができる。
【０１０５】
なお、この実施の形態１２では、接続コネクタ２１、コモンモードチョークコイル２及び直列回路５が誘電体基板２２の表面に配置されている例を示したが、接続コネクタ２１、コモンモードチョークコイル２及び直列回路５の中の少なくとも一つが誘電体基板２２の裏面に配置されていてもよい。
【０１０６】
また、この実施の形態１２では、単層基板である誘電体基板２２の表面に接続コネクタ２１、コモンモードチョークコイル２及び直列回路５が配置されている例を示したが、誘電体基板２２を多層基板で構成して、地導体２３を誘電体基板２２の内部の層に配置し、接続コネクタ２１、コモンモードチョークコイル２及び直列回路５の中の少なくとも一つを誘電体基板２２の裏面に配置するようにしてもよい。
【０１０７】
実施の形態１３．
図２０はこの発明の実施の形態１３によるコモンモードノイズフィルタの構成を示す回路図であり、図において、図１８と同一符号は同一または相当部分を示すので説明を省略する。
図２０のコモンモードノイズフィルタでは、誘電体基板２２の裏面に配置されている地導体２３のうち、接続コネクタ２１とコモンモードチョークコイル２間の差動信号線路１の下部に位置している部分と、コモンモードチョークコイル２の下部に位置している部分とが除去されている。削除箇所２６は地導体２３が削除されている部分を示している。
【０１０８】
次に動作について説明する。
図２０のコモンモードノイズフィルタの回路構成は、図１８のコモンモードノイズフィルタと同様である。
図２０のコモンモードノイズフィルタでは、誘電体基板２２の裏面に配置されている地導体２３のうち、接続コネクタ２１とコモンモードチョークコイル２間の差動信号線路１の下部に位置している部分と、コモンモードチョークコイル２の下部に位置している部分とが除去されているので、地導体２３が削除されていない場合よりも、差動信号線路１におけるコモンモードノイズの発生量を減少させることができる。
したがって、この実施の形態１３では、上記実施の形態１１よりも、コモンモードノイズの発生量が少ないコモンモードノイズフィルタを誘電体基板２２上に実現することができる。
【０１０９】
なお、この実施の形態１３では、接続コネクタ２１、コモンモードチョークコイル２及び直列回路５が誘電体基板２２の表面に配置されている例を示したが、接続コネクタ２１、コモンモードチョークコイル２及び直列回路５の中の少なくとも一つが誘電体基板２２の裏面に配置されていてもよい。
【０１１０】
また、この実施の形態１３では、単層基板である誘電体基板２２の表面に接続コネクタ２１、コモンモードチョークコイル２及び直列回路５が配置されている例を示したが、誘電体基板２２を多層基板で構成して、地導体２３を誘電体基板２２の内部の層に配置し、接続コネクタ２１、コモンモードチョークコイル２及び直列回路５の中の少なくとも一つを誘電体基板２２の裏面に配置するようにしてもよい。
【０１１１】
実施の形態１４．
図２１はこの発明の実施の形態１４によるコモンモードノイズフィルタの構成を示す上面図であり、図において、図２０と同一符号は同一または相当部分を示すので説明を省略する。
上記実施の形態１２，１３では、地導体２３の一部が削除されているものを示したが、図２１に示すように、地導体２３の除去箇所の形状が、差動信号線路１に対して線対称な形状であるようにしてもよい。
図２１において、破線２７は信号線１ａと信号線１ｂの中間線を示しており、地導体２３の削除箇所２６は、破線２７に対して線対称となっている。
【０１１２】
次に動作について説明する。
図２１のコモンモードノイズフィルタの回路構成は、図１８のコモンモードノイズフィルタと同様である。
図２１のコモンモードノイズフィルタでは、地導体２３の削除箇所２６が、破線２７に対して線対称となっているので、地導体２３の削除箇所２６が、破線２７に対して線対称となっていない場合よりも、差動信号線路１におけるコモンモードノイズの発生量を減少させることができる。
したがって、この実施の形態１４では、上記実施の形態１１よりも、コモンモードノイズの発生量を減少させることが可能なコモンモードノイズフィルタを誘電体基板２２上に実現することができる。
【０１１３】
なお、この実施の形態１４では、接続コネクタ２１、コモンモードチョークコイル２及び直列回路５が誘電体基板２２の表面に配置されている例を示したが、接続コネクタ２１、コモンモードチョークコイル２及び直列回路５の中の少なくとも一つが誘電体基板２２の裏面に配置されていてもよい。
【０１１４】
また、この実施の形態１４では、単層基板である誘電体基板２２の表面に接続コネクタ２１、コモンモードチョークコイル２及び直列回路５が配置されている例を示したが、誘電体基板２２を多層基板で構成して、地導体２３を誘電体基板２２の内部の層に配置し、接続コネクタ２１、コモンモードチョークコイル２及び直列回路５の中の少なくとも一つを誘電体基板２２の裏面に配置するようにしてもよい。
【０１１５】
実施の形態１５．
図２２はこの発明の実施の形態１５によるコモンモードノイズフィルタのコモンモードチョークコイルを示す構成図であり、図において、図１と同一符号は同一または相当部分を示すので説明を省略する。
図２２のコモンモードチョークコイル２は、リング状の磁性体３１に対して、一対の信号線３２ａ，３２ｂが円周方向に等間隔で巻かれ（図中、一対の信号線３２ａ，３２ｂがＬの間隔で巻かれている）、かつ、一対の信号線３２ａ，３２ｂ間の距離が密（信号線３２ａ，３２ｂ間の距離が、間隔Ｌと比べて短い）に巻かれることで構成されている。
ただし、磁性体３１に対する信号線３２ａの巻き方向が、磁性体３１に対する信号線３２ｂの巻き方向と逆方向である。
【０１１６】
接続線３３ａは差動信号線路１を構成している信号線１ａと、コモンモードチョークコイル２を構成している信号線３２ａとを結んでいる線路である。
接続線３３ｂは差動信号線路１を構成している信号線１ｂと、コモンモードチョークコイル２を構成している信号線３２ｂとを結んでいる線路である。
ただし、接続線３３ａと接続線３３ｂは等長である。
【０１１７】
接続線３４ａは差動信号線路１を構成している信号線１ａと、コモンモードチョークコイル２を構成している信号線３２ａとを結んでいる線路である。
接続線３４ｂは差動信号線路１を構成している信号線１ｂと、コモンモードチョークコイル２を構成している信号線３２ｂとを結んでいる線路である。
ただし、接続線３４ａと接続線３４ｂは等長である。
【０１１８】
次に動作について説明する。
図２２のコモンモードチョークコイル２では、磁性体３１に巻かれている信号線３２ａと信号線３２ｂの位置関係が、ほぼ一定に保たれるので、信号線３２ａと信号線３２ｂが任意に磁性体３１に巻かれる場合よりも、差動信号線路１におけるコモンモードノイズの発生量を減少させることができる。
【０１１９】
図２２のコモンモードチョークコイル２では、接続線３３ａと接続線３３ｂが等長であり、同様に、接続線３４ａと接続線３４ｂも等長なので、差動信号線路１を構成している信号線１ａ，１ｂ間の位相差が生じ難くなる。
したがって、この実施の形態１５では、差動信号線路１におけるコモンモードノイズの発生量が少ないコモンモードチョークコイル２を実現することができる。
また、このコモンモードチョークコイル２を上記実施の形態１１に適用することで、コモンモードノイズの発生量が少ないコモンモードノイズフィルタを実現することができる。
【０１２０】
この実施の形態１５では、リング状の磁性体３１に対して、一対の信号線３２ａ，３２ｂが円周方向に等間隔で巻かれ、かつ、一対の信号線３２ａ，３２ｂ間の距離が密に巻かれることでコモンモードチョークコイル２が構成されているものを示したが、図２３に示すように、リング状の磁性体４１に対して、一対の信号線４２ａ，４２ｂが円周方向に等間隔で巻かれ（図中、一対の信号線４２ａ，４２ｂがＬの間隔で巻かれている）、かつ、一対の信号線４２ａ，４２ｂ間の距離が密（信号線４２ａ，４２ｂ間の距離が、間隔Ｌと比べて短い）に巻かれることで、ディファレンシャルチョークコイル７（ディファレンシャルチョークコイル７ａ＋ディファレンシャルチョークコイル７ｂ）が構成されていてもよい。
ただし、磁性体４１に対する信号線４２ａの巻き方向と、磁性体４１に対する信号線４２ｂの巻き方向は同方向である。
【０１２１】
これにより、コモンモードノイズの発生量が少ないディファレンシャルチョークコイル７を構成することができ、このコモンモードチョークコイル７を上記実施の形態１１に適用することで、コモンモードノイズの発生量が少ないコモンモードノイズフィルタを実現することができる。
【符号の説明】
【０１２２】
１  差動信号線路、１ａ，１ｂ  信号線、２，２ａ，２ａ１，２ａ２，２ｂ，２ｂ１，２ｂ２  コモンモードチョークコイル、３ａ，３ｂ，４ａ，４ｂ  入出力端子、５，５ａ，５ａ１，５ａ２，５ｂ，５ｂ１，５ｂ２  直列回路、６ａ，６ａ１，６ａ２，６ｂ，６ｂ１，６ｂ２  コンデンサ、７，７ａ，７ａ１，７ａ２，７ｂ，７ｂ１，７ｂ２  ディファレンシャルモードチョークコイル、８，８ａ，８ｂ  外部接続端子、９  導電性ケース、１０  ケーブルコネクタケース、１１  差動信号ケーブル、１２  差動信号入出力端子、１３  導電性ケーブルコネクタケース、１４  シールドケーブル、１５  ケーブル中継コネクタケース、１６  凸型コネクタ（線路接続部材）、１７  凹型コネクタ（線路接続部材）、１８  ケーブル中継コネクタケース、２１  接続コネクタ、２２  誘電体基板、２３  地導体、２４  スルーホール、２５，２６  削除箇所、２７  破線、３１，４１  磁性体、３２ａ，３２ｂ，４２ａ，４２ｂ  信号線、３３ａ，３３ｂ，３４ａ，３４ｂ，４３ａ，４３ｂ，４４ａ，４４ｂ  接続線、Ｓ  短絡箇所、１０１  差動信号線路、１０１ａ，１０１ｂ  信号線、１０２ａ，１０２ｂ  コモンモードチョークコイル、１０３ａ，１０３ｂ，１０４ａ，１０４ｂ  入出力端子。
【図１】
2011244418.tif 000003
【図２】
2011244418.tif 000004
【図３】
2011244418.tif 000005
【図４】
2011244418.tif 000006
【図５】
2011244418.tif 000007
【図６】
2011244418.tif 000008
【図７】
2011244418.tif 000009
【図８】
2011244418.tif 000010
【図９】
2011244418.tif 000011
【図１０】
2011244418.tif 000012
【図１１】
2011244418.tif 000013
【図１２】
2011244418.tif 000014
【図１３】
2011244418.tif 000015
【図１４】
2011244418.tif 000016
【図１５】
2011244418.tif 000017
【図１６】
2011244418.tif 000018
【図１７】
2011244418.tif 000019
【図１８】
2011244418.tif 000020
【図１９】
2011244418.tif 000021
【図２０】
2011244418.tif 000022
【図２１】
2011244418.tif 000023
【図２２】
2011244418.tif 000024
【図２３】
2011244418.tif 000025
【図２４】
2011244418.tif 000026